(57)【要約】【課題】不正な監視対象を正確に特定することができる認証システムを提供すること。【解決手段】監視領域を撮像するカメラ２０３と、ユーザ情報を蓄積する情報蓄積手段２１０と、監視領域にユーザが存在することを検出する対象物検出手段２０９と、ユーザからの発光パタンを解析し、監視対象の第１の情報を出力する発光パタン解析手段２０６と、第１の情報を用いて、情報蓄積手段２１０からユーザの第２の情報を抽出する情報抽出手段２０８と、第２の情報を第１の無線信号に変換し出力する無線送信手段２０１と、第１の無線信号を受信したユーザが送信する第２の無線信号を受信する無線受信手段２０２と、第２の無線信号を解析し、ユーザの第３の情報を出力する無線信号解析手段２０７と、第３の情報を用いて、ユーザを認証する認証手段２０５とを有する。【選択図】図１
2006155032.tif 000002
【特許請求の範囲】
【請求項１】
監視領域を撮像する撮像手段と、
監視対象に関する情報を蓄積する情報蓄積手段と、
前記監視領域に監視対象が存在することを検出する対象物検出手段と、
前記対象物検出手段により前記監視領域に存在することが検出された監視対象からの発光パタンを解析し、前記監視対象の第１の情報を出力する発光パタン解析手段と、
前記監視対象の第１の情報を用いて、前記情報蓄積手段から前記監視対象の第２の情報を抽出する情報抽出手段と、
前記監視対象の第２の情報を第１の無線信号に変換し出力する無線送信手段と、
前記第１の無線信号を受信した監視対象が送信する第２の無線信号を受信する無線受信手段と、
前記第２の無線信号を解析し、前記監視対象の第３の情報を出力する無線信号解析手段と、
前記監視対象の第３の情報を用いて、前記監視対象を認証する認証手段と、
を有する認証システム。
【請求項２】
前記無線送信手段は、前記監視対象が複数である場合に、前記第１の無線信号を前記監視対象に対して、それぞれ送信する請求項１に記載の認証システム。
【請求項３】
前記監視対象に光無線タグが保持されており、前記光無線タグが前記発光パタンを発する請求項１または２に記載の認証システム。
【発明の詳細な説明】
【技術分野】
【０００１】
本発明は入退出管理システム等の認証システムに関する。
【背景技術】
【０００２】
従来の無線タグを用いた認証システムにおいて、複数の監視対象であるユーザの中から無線タグを所持していないユーザ（不携帯者）を特定する技術としては、特許文献１に示すような技術がある。同文献に記載された認証システムにおいて、無線タグの不携帯者の検出は、次のようにしていた。すなわち、送受信機とカメラを複数領域に配置する。無線タグの携帯者が領域内に入ると、送受信機は無線タグの電波を受信し、領域内にいる無線タグの携帯者の人数を検出する。それと同時に、カメラで同領域を撮影して画像処理によって画像中のユーザを検出し、領域内のユーザの人数をカウントする。カメラで撮影した人数と無線タグで検出した無線タグの携帯者の人数とが一致しなければ、領域内に不携帯者がいると判断する。また、画像中のユーザを検出する際に、識別番号とユーザのサイズや色の特徴を記憶したテーブルを参照することで、人数だけではなくどのユーザが不携帯者かを特定するようにしている。
【特許文献１】特開２００４−５５１１号公報（段落番号０１１３〜０１１４、図１８〜２０）
【発明の開示】
【発明が解決しようとする課題】
【０００３】
しかし、従来の認証システムにおいては、不携帯者を特定する際に、カメラ画像から抽出される色等の特徴量が光源等の様々な状態によって変化するので、誤検出を起こしやすいという問題があった。
【０００４】
本発明は、不正な監視対象を正確に特定することができる認証システムを提供するものである。
【課題を解決するための手段】
【０００５】
本発明の認証システムは、監視領域を撮像する撮像手段と、監視対象に関する情報を蓄積する情報蓄積手段と、前記監視領域に監視対象が存在することを検出する対象物検出手段と、前記対象物検出手段により前記監視領域に存在することが検出された監視領域に存在する監視対象からの発光パタンを解析し、前記監視対象の第１の情報を出力する発光パタン解析手段と、前記監視対象の第１の情報を用いて、前記情報蓄積手段から前記監視対象の第２の情報を抽出する情報抽出手段と、前記監視対象の第２の情報を第１の無線信号に変換し出力する無線送信手段と、前記第１の無線信号を受信した監視対象が送信する第２の無線信号を受信する無線受信手段と、前記第２の無線信号を解析し、前記監視対象の第３の情報を出力する無線信号解析手段と、前記監視対象の第３の情報を用いて、前記監視対象を認証する認証手段とを有する。
【０００６】
この構成により、不正な監視対象を正確に特定することができる。
【０００７】
本発明の認証システムは、前記監視対象が複数である場合に、前記無線送信手段が、前記第１の無線信号を前記監視対象に対して、それぞれ送信する。
【０００８】
この構成により、監視対象が複数である場合にも、電波の干渉の発生を防止することができるので、認証精度を向上することができる。
【０００９】
本発明の認証システムは、前記監視対象に光無線タグが保持されており、前記光無線タグが前記発光パタンを発する発光部を有する。
【００１０】
この構成により、光無線タグが発光パタンを発する発光部を有するので、光と電波との組み合わせで、簡単な構成により、認証システムの認証精度を向上することができる。
【発明の効果】
【００１１】
本発明によれば、従来と異なり、監視対象の色等に基づいて監視対象を検出するものではないので、監視対象の誤検出を防止して不正な監視対象を正確に特定することができる。
【発明を実施するための最良の形態】
【００１２】
以下、本発明の実施の形態について、認証システムとして入退出管理システムを例にして図面を用いて説明する。
【００１３】
（実施の形態１）
図１は本発明の実施の形態１における入退出管理システムのブロック図である。
【００１４】
図１において、光無線タグ１００は、記憶領域１０１と、電波送受信手段１０２と、コントローラ１０３と、ＬＥＤ等からなる発光部としてのライト１０４と、暗号化手段１０５とを有する。
【００１５】
記憶領域１０１は、光無線タグ１００の情報を格納しておくものであり、各光無線タグ１００を付けた監視対象であるユーザが各居室に入室した時刻と、出社および退社した時刻とを記憶しているとする。
【００１６】
電波送受信手段１０２は、電波を送受信するものである。
【００１７】
コントローラ１０３は、記憶領域１０１、電波送受信手段１０２およびＬＥＤ等からなるライト１０４を制御するものである。
【００１８】
ライト１０４は、コントローラ１０３から指令されるパタンで発光するものである。
【００１９】
暗号化手段１０５は、ライト１０４が明滅を開始する時刻に応じて鍵を生成し、生成した鍵で記憶領域１０１の情報を暗号化するものである。
【００２０】
ドア装置２００は、無線送信手段２０１と、無線受信手段２０２と、撮像手段としてのカメラ２０３と、コントローラ２０４と、認証手段２０５と、発光パタン解析手段２０６と、無線信号解析手段２０７と、情報抽出手段２０８と、対象物検出手段２０９と、情報蓄積手段２１０と、表示手段２１１とを有する。
【００２１】
無線送信手段２０１と無線受信手段２０２とで無線タグリーダ２１２が構成されている。無線タグリーダ２１２は、電波送受信手段１０２からの電波を受信するものである。
【００２２】
無線タグリーダ２１２の無線送信手段２０１は、光無線タグ１００のＩＤを指定して送信するものである。無線タグリーダ２１２の無線受信手段２０２は、光無線タグ１００からの返信を受信するものである。
【００２３】
カメラ２０３は、ユーザの画像を処理するための画像を取得するものである。
【００２４】
コントローラ２０４は、無線送信手段２０１、無線受信手段２０２、カメラ２０３、認証手段２０５、発光パタン解析手段２０６、無線信号解析手段２０７、情報抽出手段２０８および対象物検出手段２０９を制御するものである。
【００２５】
認証手段２０５は、情報抽出手段２０８によって取得した情報と画像上のユーザとを比較させ、入室させて良いユーザかどうかを判定するものである。
【００２６】
発光パタン解析手段２０６は、光無線タグ１００からの発光パタンの第１の情報を解析するものである。
【００２７】
無線信号解析手段２０７は、電波送受信手段１０２が送信した情報を解析するものである。
【００２８】
情報抽出手段２０８は、第１の情報を用いて、情報蓄積手段２１０からユーザの第２の情報を抽出するものである。
【００２９】
対象物検出手段２０９は、カメラ２０３の画像を処理してユーザを検出するものである。
【００３０】
情報蓄積手段２１０は、ユーザ情報を蓄積しておくものである。表示手段２１１は、認証結果を表示するものである。
【００３１】
具体的には、図２に示すように、無線タグリーダ２１２およびカメラ２０３はドア３００近傍に設置されており、カメラ２０３はドア３００に接近したユーザを撮影する。ユーザは光無線タグ１００１を保持している。
【００３２】
図３は本発明の実施の形態１における入退出管理システムの処理手順を示すフローチャートである。
【００３３】
なお、図２には、１名のみのユーザを示している。
【００３４】
図４は本発明の実施の形態１における入退出管理システムにおいてユーザが二人いる場合の無線タグリーダと光無線タグの情報とのやり取りを示すシーケンス図である。
【００３５】
図５は本発明の実施の形態１における入退出管理システムの処理に使用するテーブルを示す図である。
【００３６】
図６ないし図８は本発明の実施の形態１における入退出管理システムの処理内容を説明する図である。
【００３７】
次に、本発明の実施の形態１における入退出管理システムの動作について、図３に示すフローチャートおよび図４に示すシーケンス図を用いて説明する。
【００３８】
入退出管理処理はシステム立上げ時に起動され、カメラ２０３からの映像について対象物検出手段２０９でユーザ検出処理を行う。カメラ２０３が図６に示すように、ドア３００に接近したユーザＡおよびユーザＢを検出すると、検出した人数に応じて認証手段２０５を起動する。本実施の形態ではユーザＡが正規の光無線タグ１００１を保持しており、ユーザＢが不正な光無線タグ１００２を保持しているとする。
【００３９】
認証手段２０５が起動されると、無線タグリーダ２１２は電力を電磁誘導（または電波
）で光無線タグ１００１、１００２に送る（ステップＳ３０１）。ユーザＡの光無線タグ１００１は、電磁誘導で起電力を受ける（シーケンス４０１）と、図７に示すように、暗号化手段１０５で記憶領域１０１に格納されている光無線タグ１００１のＩＤ情報である第１の情報「２３４５」（図５参照）を暗号化してライト１０４から明滅を行う光パタンを発信する（シーケンス４０３）。同様に、ユーザＢの光無線タグ１００２も電磁誘導で起電力を受けると（シーケンス４０２）、第１の情報「１２３４」（図５参照）を暗号化してライト１０４から明滅を行う光パタンを発信する（シーケンス４０４）。明滅を行う光パタンは、例えば１、０、１、０のデジタル信号を送る場合、光無線タグ１００１にライト１０４がひとつある場合には“明、滅、明、滅”と送る（ステップＳ３０２）。ユーザＢの不正な光無線タグ１００２は不正な明滅を発信する。
【００４０】
カメラ２０３は光無線タグ１００１、１００２の光パタンを検出すると（ステップＳ３０３）、コントローラ２０４は発光パタン解析手段２０６で光パタンを解析する。次に、情報抽出手段２０８では、鍵で光パタンを解読して光無線タグ１００１、１００２の第１の情報であるＩＤ情報を取得する（ステップＳ３０４）。コントローラ２０４は取得したＩＤ情報を認証手段２０５に送り、正当なものか否かを判断する。認証手段２０５は、情報蓄積手段２１０に格納された図５に示す情報を参照してＩＤ情報が正当なものか否かを決定する（ステップＳ３０５）。正当なものでなければ（ステップＳ３０５、ＮＯ）、警告する（ステップＳ３０９）。
【００４１】
ユーザＡのＩＤ情報は図５にあるので、正当なものと判断される（ステップＳ３０５、ＹＥＳ）。ユーザＢのＩＤ情報は、偶然かまたは盗まれた結果、ユーザＣのものと同じであったとする。
【００４２】
ＩＤ情報が図５にあれば、コントローラ２０４は正規のユーザだけが正しく答えることのできる固有の質問の情報を、第２の情報として前記生成した鍵で暗号化して無線タグリーダ２１２の無線送信手段２０１に送り、無線送信手段２０１から第１の無線信号として光無線タグ１００１へ向けて送出する。例えば“昨日の出社時刻は？”と尋ねる（ステップＳ３０６、シーケンス４０５）と、光無線タグ１００１が第２の情報である質問に対する回答“８：３７”を光無線タグ１００１の記憶領域１０１に格納している情報から取り出して第３の情報として暗号化し、第２の無線信号として返信する（ステップＳ３０７、シーケンス４０６）。無線タグリーダ２１２の無線受信手段２０２は、光無線タグ１００１からの返信を受信して正しい回答か否かを図５に示す情報を参照して判定する（ステップＳ３０８）。これは正しい回答であるので、ドア３００が開けられ、ユーザＡは入場（入室）可能となる。次に、無線タグリーダ２１２で受信したＩＤ情報全ての認証が終了したか否かを判定する（ステップＳ３１０）。終了していない（ステップＳ３１０、ＮＯ）ので、無線タグリーダ２１２は、ユーザＢをユーザＣとみなし、上記と同様にして、コントローラ２０４は、第２の情報である質問の情報を、無線タグリーダ２１２の無線送信手段２０１に送り、無線送信手段２０１から第１の無線信号として光無線タグ１００２へ向けて送出する。例えば、“前回のトイレ時刻は？”と尋ねる（ステップ３０６、シーケンス４０７）と、無線タグ１００２が第２の情報である質問の情報に対する回答として“８：４２”を回答したとする（ステップＳ３０７、シーケンス４０８）。無線受信手段２０２が光無線タグ１００２からの返信を受信して正しい回答か否かを図５に示す情報を参照して判定する（ステップＳ３０８）。これは正しい回答ではないので、表示手段２１１に図８に示すように、ユーザＢを不正な光無線タグの携帯者である旨例えば破線の枠４００で表示することにより警告する（ステップＳ３０９）。したがって、ユーザＢに対しては、ドア３００が閉じたままであるので、入場が禁止される。次に、ＩＤ情報全ての認証が終了したか否かを判定し（ステップＳ３１０）、認証が全て終了したので（ステップＳ３１０、ＹＥＳ）、一連の処理を終了する。
【００４３】
本実施の形態１によれば、光無線タグ１００１、１００２と無線タグリーダ２１２間で上記のように、光と電波で情報をやり取りするので、ユーザの誤検出を防止して、不正な光無線タグ１００２を携帯するユーザＢを特定することができる。また、光無線タグ１００１、１００２を個別に呼び出し返信させることによって、光無線タグ１００１、１００２が一斉に電波を返すのを防止しているので、電波環境が安定し電波干渉の少ない状態を構築でき、その結果ロバストな認証システムを実現することができる。
【００４４】
なお、前記第２の情報および第３の情報は、頻繁に変えるかまたは変わる内容にする等で、できる限り本人の所持する光無線タグにしか判らないものにすることが好ましい。例えば、入退出する度にその時刻を光無線タグおよび無線タグリーダの両方に記憶し、事前のログを認証のための情報とする。また、第２の情報および第３の情報は、できる限りユーザによって異なるものを用いるのが好ましい。
【００４５】
（実施の形態２）
本発明の実施の形態２は、光無線タグを全ての内容物に取り付け、内容物を光透過性の包装材で包装する場合、または内容物を光透過性のコンテナに入れる場合等の物流システムとしての認証システムにも、上記実施の形態１と同様に実施することができる。本実施の形態２によれば、包装材で包装したまま、またはコンテナを開ける必要なく、電波の干渉を受けずに、内容物の管理を行うことができる。
【産業上の利用可能性】
【００４６】
本発明は、監視対象の誤検出を防止して不正な監視対象を正確に特定することができるという効果を有し、ビルの最初のゲートから中側にある居室の出入り口等、比較的同じ人物が利用する頻度の高いドアの入退出を管理する入退出管理システム等に有用である。
【図面の簡単な説明】
【００４７】
【図１】本発明の実施の形態１における入退出管理システムのブロック図
【図２】本発明の実施の形態１における入退出管理システムを説明する図
【図３】本発明の実施の形態１における入退出管理システムの処理手順を示すフローチャート
【図４】本発明の実施の形態１における入退出管理システムにおける無線タグリーダと光無線タグの情報とのやり取りを示すシーケンス図
【図５】本発明の実施の形態１における入退出管理システムの認証に使用する情報を説明する図
【図６】本発明の実施の形態１における入退出管理システムの動作を説明する図
【図７】本発明の実施の形態１における入退出管理システムの動作を説明する図
【図８】本発明の実施の形態１における入退出管理システムの動作を説明する図
【符号の説明】
【００４８】
１００  光無線タグ
１０１  記憶領域
１０２  電波送受信手段
１０３  コントローラ
１０４  ライト
１０５  暗号化手段
２００  ドア装置
２０１  無線送信手段
２０２  無線受信手段
２０３  カメラ
２０４  コントローラ
２０５  認証手段
２０６  発光パタン解析手段
２０７  無線信号解析手段
２０８  情報抽出手段
２０９  対象物検出手段
２１０  情報蓄積手段
２１１  表示手段
１００１、１００２  光無線タグ
Ａ、Ｂ  ユーザ
【図１】
2006155032.tif 000003
【図３】
2006155032.tif 000004
【図４】
2006155032.tif 000005
【図５】
2006155032.tif 000006
【図６】
2006155032.tif 000007
【図７】
2006155032.tif 000008
【図８】
2006155032.tif 000009
【図２】
2006155032.tif 000010